(57)【特許請求の範囲】
【請求項１】
主情報として、テキスト情報、画像情報、又は、両者を組み合わせた情報を入力する主情報入力手段、
前記主情報の内容の特徴を表わす特徴情報を抽出し、抽出された特徴情報に対応する特徴ＩＤコードを出力する特徴情報抽出手段、
楽曲情報の再生態様を制御する複数種類の楽曲再生態様制御情報を、それぞれに付与された特徴ＩＤコードとともに記憶する記憶手段、
該記憶手段を検索し、前記特徴情報抽出手段から出力される特徴ＩＤコードを有する楽曲再生態様制御情報を出力する検索手段、
該検索手段から出力される楽曲再生態様制御情報を前記主情報に付加する付加手段、
および、
該付加手段により前記楽曲再生態様制御情報が付加された主情報に、当該楽曲再生態様制御情報により再生態様が制御される楽曲情報を付加して出力する情報出力手段、
を有することを特徴とする、楽曲情報及び再生態様制御情報の両者が付加された情報の作成装置。
【請求項２】
前記特徴情報抽出手段は、前記主情報が前記テキスト情報を含む場合、該テキスト情報に含まれるキーワードを抽出することに基づいて前記特徴ＩＤコードを出力する、
ことを特徴とする請求項１に記載の楽曲情報及び再生態様制御情報の両者が付加された情報の作成装置。
【請求項３】
主情報として、テキスト情報、画像情報、又は、両者を組み合わせた情報を入力する主情報入力手段、
前記主情報の内容の特徴を表わす特徴情報を抽出し、抽出された特徴情報に対応する特徴ＩＤコードを出力する特徴情報抽出手段、
および、
該特徴情報抽出手段から出力される特徴ＩＤコードを前記主情報に付加する付加手段、を有し、
前記主情報に付加された特徴ＩＤコードは、
複数種類の楽曲情報を、それぞれに付与された特徴ＩＤコードとともに記憶し、前記楽曲情報の再生態様を制御する複数種類の楽曲再生態様制御情報を、それぞれに付与された特徴ＩＤコードとともに記憶する、記憶手段を備えた情報再生装置で、前記記憶手段を検索して、当該主情報に付加された特徴ＩＤコードを有する楽曲情報及び当該主情報に付加された特徴ＩＤコードを有する楽曲再生態様制御情報を出力し、当該主情報に付加された特徴ＩＤコードを有する楽曲情報を、当該主情報に付加された特徴ＩＤコードを有する楽曲再生態様制御情報で制御しながら演奏するためのものである、
ことを特徴とする特徴ＩＤコードが付加された情報の作成装置。
【請求項４】
主情報として、テキスト情報、画像情報、又は、両者を組み合わせた情報を入力する主情報入力手段、
前記主情報の内容の特徴を表わす特徴情報を抽出し、抽出された特徴情報に対応する特徴ＩＤコードを出力する特徴情報抽出手段、
複数種類の楽曲情報を、それぞれに付与された特徴ＩＤコードとともに記憶する記憶手段、
該記憶手段を検索し、前記特徴情報抽出手段から出力される特徴ＩＤコードを有する楽曲情報を出力する検索手段、
および、
該特徴情報抽出手段から出力される特徴ＩＤコード、および、前記検索手段から出力される楽曲情報を、前記主情報に付加する付加手段、
を有し、
前記主情報に付加された特徴ＩＤコードは、
前記楽曲情報の再生態様を制御する複数種類の楽曲再生態様制御情報を、それぞれに付与された特徴ＩＤコードとともに記憶する記憶手段を備えた情報再生装置で、該記憶手段を検索して、当該主情報に付加された特徴ＩＤコードを有する楽曲再生態様制御情報を出力し、当該主情報に付加された特徴ＩＤコードを有する楽曲再生態様制御情報で、前記主情報に付加された楽曲情報を制御しながら演奏するためのものである、
ことを特徴とする特徴ＩＤコードが付加された情報の作成装置。
【請求項５】
主情報として、テキスト情報、画像情報、又は、両者を組み合わせた情報を入力させる主情報入力機能、
前記主情報の内容の特徴を表わす特徴情報を抽出させ、抽出された特徴情報に対応する特徴ＩＤコードを出力させる特徴情報抽出機能、
楽曲情報の再生態様を制御する複数種類の楽曲再生態様制御情報を、それぞれに付与された特徴ＩＤコードとともに記憶する記憶手段を検索させ、前記特徴情報抽出機能から出力される特徴ＩＤコードを有する楽曲再生態様制御情報を出力させる検索機能、
該検索機能から出力される楽曲再生態様制御情報を前記主情報に付加させる付加機能、
および、
該付加機能により前記楽曲再生態様制御情報が付加された主情報に、当該楽曲再生態様制御情報により再生態様が制御される楽曲情報を付加して出力させる情報出力機能、
をコンピュータに実現させるための、楽曲情報及び再生態様制御情報の両者が付加された情報の作成プログラムが記録されたコンピュータ読み取り可能な記録媒体。
【請求項６】
主情報として、テキスト情報、画像情報、又は、両者を組み合わせた情報を入力させる主情報入力機能、
前記主情報の内容の特徴を表わす特徴情報を抽出させ、抽出された特徴情報に対応する特徴ＩＤコードを出力させる特徴情報抽出機能、
および、
該特徴情報抽出機能から出力される特徴ＩＤコードを前記主情報に付加させる付加機能、
をコンピュータに実現させるためのものであって、
前記主情報に付加された特徴ＩＤコードは、
複数種類の楽曲情報を、それぞれに付与された特徴ＩＤコードとともに記憶し、前記楽曲情報の再生態様を制御する複数種類の楽曲再生態様制御情報を、それぞれに付与された特徴ＩＤコードとともに記憶する、記憶手段を備えた情報再生装置で、前記記憶手段を検索して、当該主情報に付加された特徴ＩＤコードを有する楽曲情報及び当該主情報に付加された特徴ＩＤコードを有する楽曲再生態様制御情報を出力し、当該主情報に付加された特徴ＩＤコードを有する楽曲情報を、当該主情報に付加された特徴ＩＤコードを有する楽曲再生態様制御情報で制御しながら演奏するためのものである、
ことを特徴とする特徴ＩＤコードが付加された情報の作成プログラムが記録されたコンピュータ読み取り可能な記録媒体。
【請求項７】
主情報として、テキスト情報、画像情報、又は、両者を組み合わせた情報を入力させる主情報入力機能、
前記主情報の内容の特徴を表わす特徴情報を抽出させ、抽出された特徴情報に対応する特徴ＩＤコードを出力させる特徴情報抽出機能、
複数種類の楽曲情報を、それぞれに付与された特徴ＩＤコードとともに記憶する記憶手段を検索させ、前記特徴情報抽出機能から出力される特徴ＩＤコードを有する楽曲情報を出力させる検索機能、
および、
該特徴情報抽出機能から出力される特徴ＩＤコード、および、前記検索機能から出力される楽曲情報を、前記主情報に付加させる付加手段、
をコンピュータに実現させるためのものであって、
前記主情報に付加された特徴ＩＤコードは、
前記楽曲情報の再生態様を制御する複数種類の楽曲再生態様制御情報を、それぞれに付与された特徴ＩＤコードとともに記憶する記憶手段を備えた情報再生装置で、該記憶手段を検索して、当該主情報に付加された特徴ＩＤコードを有する楽曲再生態様制御情報を出力し、当該主情報に付加された特徴ＩＤコードを有する楽曲再生態様制御情報で、前記主情報に付加された楽曲情報を制御しながら演奏するためのものである、
ことを特徴とする特徴ＩＤコードが付加された情報の作成プログラムが記録されたコンピュータ読み取り可能な記録媒体。
【発明の詳細な説明】
【０００１】
【発明の属する技術分野】
本発明は、インターネット等のネットワークにおいて、ニュースやメッセージとともに演奏情報を伝達するのに使用する、楽曲情報及び再生態様制御情報の両者が付加された情報の作成装置、および、特徴ＩＤコードが付加された情報の作成装置等に関するものである。
【０００２】
【従来の技術】
従来、インターネットにおいて、ＷＷＷ（World Wide Web）サーバは、ニュース、天気予報、その他の情報を作成して端末に配信し、端末は配信された情報を再生する。
一方、メールサーバは、発信端末で作成され送信されたメッセージ等の情報を、宛先の端末に配信し、宛先の端末は配信された情報を再生する。
【０００３】
図１１は、情報作成装置および情報再生装置を説明するための、情報配信システムの概要構成図である。
図中、２０１はパーソナルコンピュータ端末、２０１ａは表示部、２０１ｂはスピーカ、２０２は公衆通信網、２０３はサーバ、２０３ａはデータベース、２０４は基地局、２０５は携帯電話端末等の移動端末、２０５ａは表示部、２０５ｂは受話器、２０５ｃはインターフェースコネクタ、２０６は２０１と同様なパーソナルコンピュータ端末、２０７は２０５と同様な携帯電話端末である。
ニュースやメッセージ等の主情報は、テキスト情報、静止画像情報、動画像情報等の形式でサーバ２０３のデータベース２０３ａに蓄積されている。パーソナルコンピュータ端末２０１は、例えば、公衆通信網２０２に接続されたサーバ２０３にダイヤルアップ接続し、データベース２０３ａからテキスト情報等を取り込み、表示部２０１ａに表示する。
【０００４】
また、データベース２０３ａに、楽曲情報等の演奏情報も、ＳＭＦ（StandardMusical Instrument Digital Interface  File）形式やオーディオ圧縮データ形式等で格納され、パーソナルコンピュータ端末２０１が、上述したテキスト情報等とともに、この演奏情報を取り込む場合もある。このようなインターネットサービスとして、例えば、「MidRadio」（商標）や「MIDPLUG for XG」（商標）がある。
しかし、テキスト情報は、楽曲の著作権関係の表示や曲名などである。ニュースやメッセージの情報内容に応じたバックグラウンドミュージックを伴うものではない。
【０００５】
しかし、表示される情報の内容を想起できるバックグラウンドミュージックの演奏情報を、テキスト情報や画像情報等とともに配信することができれば、ニュースやメッセージ等の情報の表現能力を増大させることができ、情報に付加価値を付けることができる。
また、テキスト情報や画像情報等は、短時間では情報内容をチェックできないため、見落としてしまう場合がある。これに対し、情報内容に合致し情報内容を想起できるバックグラウンドミュージックを演奏することにより、ユーザに短時間で情報の概要を知らせることができ、情報の利用が容易になる。
【０００６】
仮に、このように情報内容を想起できるバックグラウンドミュージックを、配信サービス提供者が、情報内容に応じて曲を入れ替えるとすれば、人手で行うことになるため、ニュース番組の制作コストが高くなり、また、個人の技量や力量によって選曲に差が出てしまうという問題がある。
【０００７】
一方、パーソナルコンピュータ端末２０１から、サーバ２０３を介して、パーソナルコンピュータ端末２０６へ、グラフィックスおよび音楽を伴うテキストメッセージを送るサービスとして、「midmail」（商標）がある。このサービスでは、パーソナルコンピュータ端末２０１からサーバ２０３にダイヤルアップ接続し、データベース２０３ａに格納された複数の静止画像情報および複数の楽曲情報を個別にメニューから選択するとともに、テキストメッセージおよび送信相手のメールアドレスを送信する。しかし、発信者側のユーザが任意に選曲するシステムであって、情報の内容に合わせた演奏を自動的に行うものではない。
【０００８】
【発明が解決しようとする課題】
本発明は、上述した問題点を解決するためになされたもので、演奏により主情報の表現効果を増大させるとともに、短時間で主情報の概要を知らせることができる、楽曲情報及び再生態様制御情報の両者が付加された情報の作成装置、特徴ＩＤコードが付加された情報の作成装置、および、それらの機能を実現するプログラムが記録されたコンピュータ読み取り可能な記録媒体、を提供することを目的とするものである。
【０００９】
【課題を解決するための手段】
上記課題を解決するための第１の構成においては、演奏情報が付加された情報の作成装置において、主情報を入力する主情報入力手段、前記主情報の内容の特徴を表わす特徴情報を抽出する特徴情報抽出手段、および、前記主情報とともに、前記特徴情報に基づいて前記主情報の内容に応じた演奏情報を出力する情報出力手段を有するものである。
したがって、演奏情報を再生させる側で主情報の内容に応じた演奏を行うことにより、主情報の表現効果を増大させることができるとともに、短時間で情報の概要を知らせることができる。
【００１０】
上記課題を解決するための第２の構成においては、上記第１の構成に記載の演奏情報が付加された情報の作成装置において、前記演奏情報は、楽曲情報および該楽曲情報の再生態様の制御情報を有し、前記情報出力手段は、前記主情報とともに、前記楽曲情報または前記楽曲情報の再生態様の制御情報のいずれか一方および前記特徴情報を出力するものである。
したがって、特徴情報も出力するため、演奏情報を再生させる側で、特徴情報も利用することができる。
【００１１】
上記課題を解決するための第３の構成においては、上記第１または第２の構成に記載の演奏情報が付加された情報の作成装置において、前記演奏情報は少なくとも楽曲情報を有し、複数種類の前記楽曲情報を記憶する記憶手段、および、前記特徴情報に基づいて前記記憶手段を検索し、前記主情報の内容に応じた前記楽曲情報を抽出する検索手段を有し、前記情報出力手段は、前記主情報とともに、抽出された前記楽曲情報を出力するものである。
したがって、主情報の内容に応じた楽曲情報を容易に出力することができる。
【００１２】
上記課題を解決するための第４の構成においては、上記第１ないし３の構成のいずれか１項に記載の演奏情報が付加された情報の作成装置において、前記演奏情報は少なくとも楽曲情報の再生態様の制御情報を有し、複数種類の前記再生態様の制御情報を記憶する記憶手段、および、前記特徴情報に基づいて前記記憶手段を検索し、前記主情報の内容に応じた前記再生態様の制御情報を抽出する検索手段を有し、前記情報出力手段は、前記主情報とともに、抽出された前記再生態様の制御情報を出力するものである。
したがって、主情報の内容に応じた再生態様の制御情報を容易に出力することができる。
【００１３】
上記課題を解決するための第５の構成においては、上記第１ないし第４の構成のいずれか１項に記載の演奏情報が付加された情報の作成装置において、前記特徴抽出手段は、前記主情報に含まれる感性語およびまたは感性を想起させる語に基づいて前記特徴情報を抽出するものである。
したがって、演奏情報を再生させる側で、演奏情報がユーザの感性に与える印象によって、主情報の表現効果を増大させるとともに、短時間で情報の概要を知らせることができる。
【００１４】
上記課題を解決するための第６の構成においては、上記第１ないし第４の構成のいずれか１項に記載の演奏情報が付加された情報の作成装置において、前記主情報は、あらかじめ感性との対応付けがなされた主情報の表現要素を含み、前記特徴抽出手段は、前記主情報の中から前記表現要素を検出することにより前記特徴情報を抽出するものである。
したがって、前記主情報の内容の特徴を表わす特徴情報の検出を容易に行うことができる。
【００１５】
上記課題を解決するための第７の構成においては、主情報を入力する情報入力手段、前記主情報の内容の特徴を表わす特徴情報を抽出する特徴情報抽出手段、および、前記主情報とともに、前記特徴情報に基づいて前記主情報の内容に応じた演奏情報を再生させる情報再生手段を有するものである。
したがって、主情報の内容に応じた演奏を行うことにより、主情報の表現効果を増大させるとともに、短時間で情報の概要を知らせることができる。
【００１６】
上記課題を解決するための第８の構成においては、上記第７の構成に記載の演奏情報が付加された情報の再生装置において、前記特徴情報抽出手段は、前記主情報に含まれる感性語およびまたは感性を想起させる語に基づいて前記特徴情報を抽出するものである。
したがって、演奏情報がユーザの感性に与える印象によって、主情報の表現効果を増大させるとともに、短時間で情報の概要を知らせることができる。
【００１７】
上記課題を解決するための第９の構成においては、上記第７の構成に記載の演奏情報が付加された情報の再生装置において、前記主情報は、あらかじめ感性との対応付けがなされた前記主情報の表現要素を含み、前記特徴情報抽出手段は、前記主情報の中から前記表現要素を検出することにより前記特徴情報を抽出するものである。
したがって、前記主情報の内容の特徴を表わす特徴情報の検出を容易に行うことができる。また、特徴情報を主情報と同様に取り扱うことができる。
【００１８】
上記課題を解決するための第１０の構成においては、演奏情報が付加された情報の再生装置において、主情報とともに該主情報の内容の特徴を表わす特徴情報を入力する情報入力手段、および、前記主情報とともに、前記特徴情報に基づいて前記主情報の内容に応じた演奏情報を再生させる情報再生手段を有するものである。
したがって、特徴情報を用いて主情報の内容に応じた演奏を行わせることができ、主情報の表現効果を増大させるとともに、短時間で情報の概要を知らせることができる。
【００１９】
上記課題を解決するための第１１の構成においては、上記第７ないし１０の構成のいずれか１項に記載の演奏情報が付加された情報の再生装置において、前記演奏情報は、楽曲情報および該楽曲情報の再生態様の制御情報を有し、前記情報入力手段は、前記楽曲情報または前記楽曲情報の再生態様の制御情報のいずれか一方も入力するものである。
したがって、特徴情報を用いて、楽曲情報または前記楽曲情報の再生態様の制御情報のうち、入力されない方を主情報の内容に応じたものとして出力することができる。
【００２０】
上記課題を解決するための第１２の構成においては、上記第７ないし１１の構成のいずれか１項に記載の演奏情報が付加された情報の再生装置において、前記演奏情報は少なくとも楽曲情報を有し、複数種類の前記楽曲情報を記憶する記憶手段、前記特徴情報に基づいて前記記憶手段を検索し、前記主情報の内容に応じた前記楽曲情報を抽出する検索手段を有し、前記情報再生手段は、前記主情報とともに、抽出された前記楽曲情報を再生させるものである。
したがって、主情報の内容に応じた楽曲情報を容易に出力することができる。
【００２１】
上記課題を解決するための第１３の構成においては、第７ないし１２の構成のいずれか１項に記載の演奏情報が付加された情報の再生装置において、前記演奏情報は少なくとも楽曲情報の再生態様の制御情報を有し、複数種類の前記再生態様の制御情報を記憶する記憶手段、前記特徴情報に基づいて前記記憶手段を検索し、前記主情報の内容に応じた前記再生態様の制御情報を抽出する検索手段を有し、前記情報再生手段は、前記主情報とともに、抽出された前記再生態様の制御情報を再生させるものである。
したがって、主情報の内容に応じた再生態様の制御情報を容易に出力することができる。
【００２２】
上記課題を解決するための第１４の構成においては、演奏情報が付加された情報作成装置において、主情報を入力する主情報入力手段、前記主情報を出力する主情報出力手段、前記主情報の内容の特徴を表わす特徴情報を入力する特徴情報入力手段、および、前記主情報とともに、前記特徴情報に基づいて前記主情報の内容に応じた演奏情報を再生させる情報再生手段を有するものである。
したがって、主情報を入力する側で、主情報の内容に応じた演奏情報を用いて演奏することにより、主情報の表現効果が増大された情報を確認することができる。
【００２３】
上記課題を解決するための第１５の構成においては、特徴情報の表現要素が付加された情報の作成装置主情報を入力する主情報入力手段、前記主情報の内容の特徴を表わす特徴情報を抽出する特徴抽出手段、および、前記主情報とともに、前記特徴情報にあらかじめ対応付けられた主情報の表現要素を出力する情報出力手段を有するものである。
したがって、情報を再生させる側で、主情報の内容の特徴を表わす特徴情報の抽出を容易に行うことができる。また、特徴情報を主情報と同様に取り扱うことができる。
【００２４】
上記課題を解決するための第１６の構成においては、上記第１５の構成に記載の特徴情報の表現要素が付加された情報の作成装置において、前記表現要素は、あらかじめ感性との対応付けがなされたものである。
したがって、演奏情報がユーザの感性に与える印象によって、主情報の表現効果を増大させるとともに、短時間で情報の概要を知らせることができる。
【００２５】
上記課題を解決するための第１７の構成においては、演奏情報が付加された情報の作成プログラムが記録された記録媒体であって、主情報を入力させる主情報入力機能、前記主情報の内容の特徴を表わす特徴情報を抽出させる特徴情報抽出機能、および、前記主情報とともに、前記特徴情報に基づいて前記主情報の内容に応じた演奏情報を出力させる情報出力機能、をコンピュータに実現させるためのプログラムが記録された記録媒体である。
したがって、記録されたプログラムを用いてコンピュータを動作させることにより、上記第１の構成に記載の演奏情報が付加された情報の作成装置の発明と同様の作用を有する。
【００２６】
上記課題を解決するための第１８の構成においては、演奏情報が付加された情報の再生プログラムが記録された記録媒体であって、主情報を入力させる主情報入力機能、前記主情報の内容の特徴を表わす特徴情報を抽出させる特徴情報抽出機能、および、前記主情報とともに、前記特徴情報に基づいて前記主情報の内容に応じた演奏情報を再生させる情報再生機能をコンピュータに実現させるためのプログラムが記録された記録媒体である。
したがって、記録されたプログラムを用いてコンピュータを動作させることにより、上記第７の構成に記載の演奏情報が付加された情報の再生装置の発明と同様の作用を奏する。
【００２７】
上記課題を解決するための第１９の構成においては、演奏情報が付加された情報の再生プログラムが記録された記録媒体であって、主情報とともに該主情報の内容の特徴を表わす特徴情報を入力させる情報入力機能、および、前記主情報とともに、前記特徴情報に基づいて前記主情報の内容に応じた演奏情報を再生させる情報再生機能をコンピュータに実現させるためのプログラムが記録された記録媒体である。
したがって、記録されたプログラムを用いてコンピュータを動作させることにより、上記第１０の構成に記載の演奏情報が付加された情報の再生装置の発明と同様の作用を奏する。
【００２８】
上記課題を解決するための第２０の構成においては、演奏情報が付加された情報の作成プログラムが記録された記録媒体であって、主情報を入力させる主情報入力機能、前記主情報を出力させる主情報出力機能、前記主情報の内容の特徴を表わす特徴情報を入力させる特徴情報入力機能、および、前記主情報とともに、前記特徴情報に基づいて前記主情報の内容に応じた演奏情報を再生させる情報再生機能をコンピュータに実現させるためのプログラムが記録された記録媒体である。
したがって、記録されたプログラムを用いてコンピュータを動作させることにより、上記第１４の構成に記載の演奏情報が付加された情報作成装置の発明と同様の作用を奏する。
【００２９】
上記課題を解決するための第２１の構成においては、特徴情報の表現要素が付加された情報の作成プログラムが記録された記録媒体であって、主情報を入力させる主情報入力機能、前記主情報の内容の特徴を表わす特徴情報を抽出させる特徴抽出機能、および、前記主情報とともに、前記特徴情報にあらかじめ対応付けられた表現要素を出力させる情報出力機能をコンピュータに実現させるためのプログラムが記録された記録媒体である。
したがって、記録されたプログラムを用いてコンピュータを動作させることにより、上記第１５の構成に記載の特徴情報の表現要素が付加された情報の作成装置の発明と同様の作用を奏する。
以下、本発明において、上記課題を解決するための手段について説明する。
本発明は、請求項１に記載の発明において、楽曲情報及び再生態様制御情報の両者が付加された情報の作成装置においては、主情報として、テキスト情報、画像情報、又は、両者を組み合わせた情報を入力する主情報入力手段、前記主情報の内容の特徴を表わす特徴情報を抽出し、抽出された特徴情報に対応する特徴ＩＤコードを出力する特徴情報抽出手段、楽曲情報の再生態様を制御する複数種類の楽曲再生態様制御情報を、それぞれに付与された特徴ＩＤコードとともに記憶する記憶手段、該記憶手段を検索し、前記特徴情報抽出手段から出力される特徴ＩＤコードを有する楽曲再生態様制御情報を出力する検索手段、該検索手段から出力される楽曲再生態様制御情報を前記主情報に付加する付加手段、および、該付加手段により前記楽曲再生態様制御情報が付加された主情報に、当該楽曲再生態様制御情報により再生態様が制御される楽曲情報を付加して出力する情報出力手段を有するものである。
従って、この発明は、演奏情報が付加された情報の作成装置の第１の実施の形態に対応する。ここで、演奏情報とは、楽曲情報およびこの楽曲情報の再生態様の制御情報を有するものである。再生態様制御情報は、例えば、主情報ファイルに付加される。楽曲情報は、主情報の内容の特徴に応じたものでは必ずしもなく、規定値あるいはユーザが任意に選択した曲である場合がある。
請求項２に記載の発明においては、請求項１に記載の楽曲情報及び再生態様制御情報の両者が付加された情報の作成装置において、前記特徴情報抽出手段は、前記主情報が前記テキスト情報を含む場合、該テキスト情報に含まれるキーワードを抽出することに基づいて前記特徴ＩＤコードを出力するものである。
上述した特徴抽出手段は、主情報の内容の特徴を解析するものであるが、例えば、人間の感性の観点から特徴分析をする。
また、請求項３に記載の発明においては、特徴ＩＤコードが付加された情報の作成装置において、主情報として、テキスト情報、画像情報、又は、両者を組み合わせた情報を入力する主情報入力手段、前記主情報の内容の特徴を表わす特徴情報を抽出し、抽出された特徴情報に対応する特徴ＩＤコードを出力する特徴情報抽出手段、および、該特徴情報抽出手段から出力される特徴ＩＤコードを前記主情報に付加する付加手段を有し、前記主情報に付加された特徴ＩＤコードは、複数種類の楽曲情報を、それぞれに付与された特徴ＩＤコードとともに記憶し、前記楽曲情報の再生態様を制御する複数種類の楽曲再生態様制御情報を、それぞれに付与された特徴ＩＤコードとともに記憶する、記憶手段を備えた情報再生装置で、前記記憶手段を検索して、当該主情報に付加された特徴ＩＤコードを有する楽曲情報及び当該主情報に付加された特徴ＩＤコードを有する楽曲再生態様制御情報を出力し、当該主情報に付加された特徴ＩＤコードを有する楽曲情報を、当該主情報に付加された特徴ＩＤコードを有する楽曲再生態様制御情報で制御しながら演奏するためのものである。
従って、この発明は、演奏情報が付加された情報の作成装置の第４の実施の形態に対応する。
ここで、演奏情報とは、楽曲情報およびこの楽曲情報の再生態様の制御情報を有するものであるが、この発明は、特徴ＩＤコードを情報に付加したものを作成し、情報再生装置で、該特徴ＩＤコードを有する楽曲情報の再生態様を該特徴ＩＤコードを有する楽曲再生態様制御情報で制御しながら演奏する。
請求項４に記載の発明においては、特徴ＩＤコードが付加された情報の作成装置において、主情報として、テキスト情報、画像情報、又は、両者を組み合わせた情報を入力する主情報入力手段、前記主情報の内容の特徴を表わす特徴情報を抽出し、抽出された特徴情報に対応する特徴ＩＤコードを出力する特徴情報抽出手段、複数種類の楽曲情報を、それぞれに付与された特徴ＩＤコードとともに記憶する記憶手段、該記憶手段を検索し、前記特徴情報抽出手段から出力される特徴ＩＤコードを有する楽曲情報を出力する検索手段、および、該特徴情報抽出手段から出力される特徴ＩＤコード、および、前記検索手段から出力される楽曲情報を、前記主情報に付加する付加手段を有し、前記主情報に付加された特徴ＩＤコードは、前記楽曲情報の再生態様を制御する複数種類の楽曲再生態様制御情報を、それぞれに付与された特徴ＩＤコードとともに記憶する記憶手段を備えた情報再生装置で、該記憶手段を検索して、当該主情報に付加された特徴ＩＤコードを有する楽曲再生態様制御情報を出力し、当該主情報に付加された特徴ＩＤコードを有する楽曲再生態様制御情報で、前記主情報に付加された楽曲情報を制御しながら演奏するためのものである。
従って、この発明は、演奏情報が付加された情報の作成装置の第２の実施の形態に対応するものとなる。
請求項５に記載の発明においては、記録されたプログラムを動作させることにより、請求項１に記載の楽曲情報及び再生態様制御情報の両者が付加された情報の作成装置の発明と同様の作用を有するものである。
請求項６、７に記載の発明においては、記録されたプログラムを動作させることにより、請求項３，４に記載の特徴ＩＤコードが付加された情報の作成装置の発明と同様の作用を有するものである。
【００３０】
【発明の実施の形態】
図１は、本発明の、演奏情報が付加された情報の作成装置および再生装置の第１ないし第５の実施の形態を説明するためのシステム構成図である。
図中、１は主情報ファイル部、２は楽曲情報ファイル部、３は再生態様制御情報ファイル部、４は特徴抽出部、５は参照テーブル、６，７は検索部、８は表示制御部、９は表示器、１０は楽曲編集部、１１は音源部、１２はデコーダ部、１３はイコライザ部、１４はアンプ部、１５はスピーカ，受話器である。
このシステムは、入力された主情報を表示器９に表示させるとともに、主情報の内容に応じた、これにふさわしい演奏情報を作成して、スピーカ，受話器１５から出力させるものである。
演奏情報としては、楽曲情報、この楽曲情報の制御を行う再生態様制御情報などがある。少なくともいずれかを主情報の内容に応じたものとする。
演奏情報を、主情報の内容に応じたものとするために、特徴抽出部４において、主情報の内容の特徴を表わす特徴情報を抽出する。
【００３１】
図１に示したシステム構成において、演奏情報が付加された情報の作成装置および再生装置は、機能分担により、複数の実施の形態がある。図中、Ａ−Ａ’〜Ｅ−Ｅ’で示した一点鎖線は、機能分担の境界線を示し、境界線を挟んで情報の送受信が行われる。
図１に示したシステム構成に基づいて、従来技術において説明した、図１１の配信システムに示す、サーバ２０３と、パーソナルコンピュータ端末２０１，２０６，移動端末２０５，２０７等（以後、こららを特に区別しないときには、総称して単に端末という）とのニュース配信、メール配信を行うことができる。ニュース配信の場合、サーバ２０３が情報作成装置となり、作成したメッセージを端末側に配信し、端末が情報再生装置となる。
メール配信の場合は、発信端末が情報作成装置となり、サーバ２０３が中継的な情報作成装置となり、着信端末が最終的な情報再生装置となる。発信端末でモニタする場合に、発信端末は情報再生装置ともなる。作成装置および再生装置の機能分担により、複数の実施の形態がある。
【００３２】
最初に、各部ブロックの説明を行い、その後、作成装置側と再生装置側との機能分担が異なる第１〜第５の実施の形態の動作を説明する。
主情報ファイル部１は、表示器９に表示させようとする主情報を入力し、これを、後述する特徴ＩＤ（Identification）コードとともに格納する。主情報は、テキスト情報、静止画情報、動画像情報などの可視表示可能情報であり、これらの個別の情報、あるいは、これらを組み合わせる場合もある。主情報の入力形態は、キーボードやポインティングデバイスに限らない。音声でニュース、朗読、会話、指示等を入力して、音声認識する形態をとってもよい。また、あらかじめ記録媒体に記録された主情報を読み出したり、ネットワークを介して入力する形態をとってもよい。
【００３３】
特徴抽出部４は、主情報の内容の特徴を解析する。参照テーブル５には、あらじめ特徴情報と特徴ＩＤコードとの対応表が格納されている。特徴抽出部４は、解析された特徴と参照テーブル４ａに格納された特徴情報とを照合し、相関度が高い特徴情報に対応する特徴ＩＤコードを出力して、主情報ファイル１に格納する。
例えば、人間の感性の観点から特徴分析をする。具体的には、ニュースやメッセージの内容に対する人間の感性（喜怒哀楽など）、感性を想起させる雰囲気（良い、威勢良い、重厚な、軽やかな、ロマンティック等）、感性を想起させる生活場面（風景、季節、行事等）等の観点で特徴分析し、各特徴に特徴ＩＤコードを割り当てる。
例えば、特徴ＩＤコード０００を「喜ぶ」、００１を「怒る」、００２を「哀しい，悲しい」、００３を「楽しい」・・・などとする。１００を「良い雰囲気」、１０１を「威勢良い雰囲気」、１０２を「重厚な雰囲気」、１０３を「軽やかな雰囲気」、１０４を「ロマンティックな雰囲気」・・・などとする。２００を「山」、２０１を「海」・・・などとする。
【００３４】
主情報のテキスト情報を参照し、以下のようなフレーズ「今日は良いことがありました」があった場合、「良い」を抽出して、特徴ＩＤコード「１００」を付付与し、「良い」にふさわしい楽曲名を選択するとともに、「良い」にふさわしい楽曲制御、例えば、楽曲編集（曲アレンジ）やイコライザ調整（周波数特性の調整）等を行って再生する。「今日は悲しいことがありました」があった場合、「悲しい」を抽出して、特徴ＩＤコード「００２」を付与し、「悲しい」に相当する曲アレンジやイコライザ調整を行う。「本日は海の家からの放送です」があった場合、「海」を抽出して、特徴ＩＤコード「２０１」を付与し、波の音の楽音波形を発音させる。
このほか、国名を抽出すると、その国特有の音階やリズムを有する曲を選んだり、そのような演奏スタイルになるように曲アレンジを行う。
【００３５】
特徴抽出の方法は、主情報のメディアタイプによって異なる。例えば、主情報がテキストである場合には、テキスト原稿を検索し、抽出したキーワードを参照テーブル５内の感性辞書と照合し、一致あるいは類似した内容のキーワードに付与された特徴ＩＤコードを出力する。
グラフィックスや写真等の画像の場合の特徴抽出を簡単に行う方法を説明する。例えば、その画像の明度（Ｙ）あるいは色（Ｒ，Ｇ，Ｂ値）を自動検出し、それらの平均値を算出し、明度あるいは各色の平均値に特徴を対応付けて、特徴ＩＤコードを出力する。
例えば、明るい色の場合は、「良い」に対応する特徴ＩＤコード「１００」を付与して、これと同じ処理を行い、暗い色の場合は、「悲しい」に対応する特徴ＩＤコード「００２」を付与して、これと同じ処理をするようにすればよい。また、特殊な画像情報として、テキスト情報の文字色、あるいは背景色のＲ，Ｇ，Ｂ値、あるいは明るさに基づいて判断してもよい。動画の場合は、被写体の動きの変化率に感性を対応付けることも可能である。
【００３６】
参照テーブル５には、このような、色、テキストフレーズ、単語、漢字等を主情報の内容の特徴、例えば、感性に対応付けして辞書化したデータを格納しておく。この辞書は、ユーザが自由に対応付けをして、辞書登録できるようにしてもかまわない。また、ネットワークから、このような辞書データをダウンロードできるようにしてもよい。
【００３７】
楽曲情報ファイル部２は、多数の曲を楽曲情報として蓄積する。楽曲情報は、ＳＭＦのようなＭＩＤＩファイルに、特徴ＩＤコードが付与されて格納されている。通常は、１つの楽曲に１つの特徴ＩＤコードが付与されて格納される。しかし、１つの楽曲に複数の特徴ＩＤコードが付与されて格納されてもよい。例えば、１つの楽曲に「明るい」に対応する特徴ＩＤコードと、「楽しい」に対応する特徴ＩＤコードとが付与されていてもよい。ＭＩＤＩファイルには、「メタイベント」として、歌詞（Lylic）情報を含む場合もある。また、楽曲情報は、圧縮された楽音波形データの場合もある。
ＭＩＤＩファイルの場合、例えば、セットアップメジャー（小節）部分に、拍子、テンポ、バンクセレクト，プログラムチェンジ（音色）、ボリューム，エクスプレッション（音量）、リバーブ、コーラス、音階，調（調性）、イコライザの周波数特性等の再生態様制御情報や、作曲者名、作詞者名等の著作権情報等の情報を記述する。その後の、ソングボディ部には、ノートデータのほか、再生態様制御情報も含まれている。
【００３８】
楽曲情報の内容の特徴は、情報の格納時に解析され、上述した再生態様制御情報等の楽曲情報が持つ種々のパラメータに基づいて、特徴ＩＤコードとともに、楽曲情報ファイル部２に格納される。
具体的な特徴解析方法としては、例えば、上述したセットアップメジャー部に記述された音色、テンポ、音量、調性の設定値等に基づいて、感性上の特徴を解析する。曲名や歌詞が含まれている場合は、上述したテキスト情報の場合と同様な方法で、特徴を抽出することもできる。
ここで、楽曲情報の内容の特徴は、検索時に、楽曲情報ファイル部２から楽曲情報を順次読み出しするときに解析を行うこともできる。
【００３９】
再生態様制御情報ファイル部３は、楽曲情報の再生態様を制御する制御情報を格納するファイル部である。具体的な一例をあげると、上述したセットアップメジャー部を、感性上の特徴に応じて、テンプレート化したものである。再生態様制御情報ファイル部３は、このテンプレートに特徴ＩＤコードを付して、多数のテンプレートを蓄積する。通常１つのテンプレートに１つの特徴ＩＤコードが付与されて格納される。しかし、先に説明した楽曲情報ファイル部２と同様に、１つのテンプレートに複数の特徴ＩＤコードが付与されて格納されてもよい。
ここで、再生態様制御情報の内容の特徴は、再生態様制御情報ファイル部３に格納するときに解析し、再生態様制御情報が持つパラメータに特徴ＩＤコードを対応付けて、特徴ＩＤコードとともに格納する。しかし、再生態様制御情報ファイル部３から順次読み出しながら解析を行い、指定された特徴を有するテンプレートを検索することもできる。
【００４０】
上述したテンプレートは、主情報の内容の特徴に応じて、楽曲の再生態様を、音色、テンポ、音量、調性の設定値等の少なくとも１つを制御することによって変化させる。例えば、音色については、同じピアノ音色であっても、ブライトピアノ、メロウピアノの音色があり、これを切り替える。テンポや音量の値は、所定値を指定したり、あらかじめ楽曲情報で指定されている値を基準にした所定割合（相対値）を指定する。
その際、数値で設定される再生態様制御情報においては、一律に所定割合にするのではなく、楽曲データに元々指定されている、テンポや調を考慮した上で、値を指定することが望ましい。
例えば、テンポを早くする場合、元々テンポが早ければ、変化率を小さく押さえる。あるいは、再生態様制御情報のテンプレートとして、テンポや音量の理想値と相対値とを両方持たせ、曲情報に元々設定されている値が、指定値の範囲内に入っている場合には、そのままとし、範囲外のときには相対指定値の通りに割合を変化させる、ということもできる。
【００４１】
音階の調性については、メジャーからマイナーに変更したり、マイナーからメジャーに変更したり、移調したりすることができる。
楽曲の再生態様を制御するものとして、上述したもののほか、同時発音可能なチャンネル数の設定変更による和音演奏の有無や演奏パート数の制限、自動リズム演奏付加の有無などを制御することもできる。
【００４２】
楽曲情報の検索部６においては、楽曲ファイル部２から特徴ＩＤコードと楽曲情報とを順次出力する。出力された特徴ＩＤコードと主情報の特徴ＩＤコードとを照合し、両者が一致する楽曲情報を出力する。
一方、再生態様制御情報の検索部７においては、再生態様制御情報ファイル部３から、特徴ＩＤコードと再生態様制御情報のテンプレートとを順次出力する。このテンプレートに付された特徴ＩＤコードと主情報の特徴ＩＤコードとを照合し、両者が一致したテンプレートを出力する。
なお、主情報の特徴ＩＤコードが複数ある場合、または、特徴ＩＤコードを有する楽曲情報が複数ある場合には、所定の判断基準を用いて、最適な楽曲情報を出力する。再生態様制御情報についても同様である。
【００４３】
図示しない制御手段が、主情報ファイル１から、所望の主情報とその特徴ＩＤコードとを出力させたときに、表示制御部８は、主情報を表示部９に表示させる。一方、特徴ＩＤコードは、検索部６，７に供給され、特徴ＩＤコードが付与された楽曲情報、再生態様制御情報が出力される。
楽曲編集部１０は、検索部６から出力された楽曲情報を入力し、楽曲を編集する。例えば、そのセットアップメジャー部を、検索部７から出力された再生態様制御情報のテンプレートにそのまま置き換える。
あるいは、上述したように、再生態様制御情報のテンプレートで指定された相対値を乗算して値を変化させたりして、音源部１１に出力する。調性の変更指示があれば、指示に応じた楽曲編集を行う。
【００４４】
音源部１１は、楽曲編集された楽曲情報を入力して楽音信号を生成し、イコライザ部１３に出力する。イコライザ部１３は、再生態様制御情報のテンプレートに含まれるイコライザ特性指定情報に基づいて、フィルタの周波数特性を変更し、アンプ部１４を介して、スピーカ，受話器１５から楽音信号を出力して演奏する。
主情報の表示開始および演奏の開始は、自動的あるいはユーザがスタート操作を行うことにより、同期して開始させることができる。あるいは、表示開始後に、ユーザが演奏のスタート操作を行うことによって演奏を開始させてもよい。あるいは、表示開始前に、演奏を先に開始して、表示内容を前もってユーザに知らせるようにして、ユーザに情報表示の選択非選択の決定を行わせるとよい。
このように、主情報の表示開始および演奏の開始に関しては、複数の態様がある。表示モード指定情報を情報の作成装置側から出力し、情報の再生装置側で、この表示モード指定情報によって複数の態様を切り替えることができる。情報の再生装置側で、ユーザが複数の態様を任意に選択できるようにすることができる。
【００４５】
演奏される楽曲は、主情報の表示に対するバックグラウンドミュージックの演奏となる。楽曲は、ＳＭＦを用いたときにはメロディー演奏となる。
このほか、音源部１１がサンプラなどの独自音源である場合には、拡張子がｗａｖの波形データそのものを楽曲情報とすることができる。
【００４６】
また、オーディオ圧縮されたデジタル波形を楽曲情報とすることができる。この場合、ボーカル演奏も可能となる。オーディオ圧縮には、Sound VQ（商標）やＭＰ３（MPEG1 Audio Layer3）等の種々の方式が知られている。
この場合には、図中、波線で示すように、検索部６から出力された楽音情報をデコーダ部１２に出力して伸長処理を行い、イコライザ部１３に出力する。イコライザ部１３においては、再生態様制御情報に含まれるイコライザ特性指定情報に基づいて、オーディオ波形を、主情報の内容の特徴に応じた周波数特性に整えて、アンプ部１４を介し、スピーカ，受話器１５から出力して演奏する。
【００４７】
上述した説明では、楽曲情報および再生態様制御情報の両者を、主情報の内容の特徴に応じたものに選定した。しかし、楽曲情報は規定値あるいはユーザが任意に選択した曲の楽曲情報として、この現状の曲を主情報の内容の特徴に応じたものになるように、再生態様のみを編集するようにしてもよい。
逆に、楽曲を主情報の内容の特徴に応じたものに選んで、再生態様は、楽曲情報に最初から指定された通りのものとしたり、ユーザが任意に選定したものとしてもよい。
【００４８】
ここで、図１に示したシステム構成図において、図１１に示したサーバ２０３側の情報作成処理と、端末側の情報再生処理とで、処理分担を異ならせた第１ないし第５の実施の形態の、演奏情報が付加された情報の作成装置および再生装置について説明する。
【００４９】
第１の実施の形態の、演奏情報が付加された情報の作成装置および再生装置は、図１においてＡ−Ａ’として示した一点鎖線を境界とし、表示制御部８および楽曲編集部１０以降の処理を、端末の情報再生装置側で実行させるものである。
サーバ側の情報作成装置から、主情報、楽曲情報、再生態様制御情報を送信する。端末側の情報再生装置では、主情報を表示器９に表示させるとともに、再生態様制御情報で、楽曲編集部１０とイコライザ部１３を制御しながら演奏する。主情報の表示形態が、行スクロール等で変化してゆく場合には、主情報の表示と演奏の開始とをコマ合わせする。
この実施の形態では、情報作成装置側から再生態様制御情報を指定されるが、情報再生装置側にて楽曲編集およびイコライザ制御を行うため、指定された再生態様制御情報を、あくまでも推奨情報として、ユーザの好みに応じて調整、あるいは変更することもできる。
【００５０】
上述した第１の実施の形態は、次のように構成を変更することもできる。
第１に、楽曲編集部１０もサーバ側の情報作成装置側に持たせ、表示制御部８、音源部１１およびデコーダ１２以降を、端末側の情報再生装置側に持たせることができる。この場合、情報作成装置から、主情報、楽曲編集された楽曲情報、イコライザ制御用の再生態様制御情報を送信する。情報再生装置では、再生態様制御情報を認識し、イコライザ１３を制御しながら演奏する。
第２に、表示制御部８およびアンプ部１４、スピーカ，受話器１５のみを端末側の情報再生装置に持たせ、左側をサーバ側に持たせて情報作成装置とするものである。
この場合、端末側の情報再生装置には特別な構成を必要としない。そのため、従来構成のままの携帯電話端末を用いる場合に適している。
【００５１】
第２の実施の形態の、演奏情報が付加された情報の作成装置および再生装置は、Ｂ−Ｂ’として示した一点鎖線を境界とし、第１の実施の形態に比べ、再生態様制御情報ファイル部３と検索部７も、端末側の情報再生装置に持たせるものである。
サーバ側の情報作成装置側から、特徴ＩＤコード、主情報、楽曲情報を送信する。端末側の情報再生装置では、この特徴ＩＤコードを用いて、再生態様制御情報ファイル部３から特徴ＩＤコードが付された再生態様制御情報を検索し、この再生態様制御情報で楽曲編集部１０およびまたはイコライザ１３を制御しながら演奏する。
【００５２】
この第２の実施の形態では、特徴情報と楽曲の再生態様の対応付けを、情報再生装置側のユーザが任意に設定変更することもできる。再生態様制御情報ファイル部３に格納されている複数種類の再生態様制御情報のテンプレートは、情報再生装置の機能を実現するプログラムとともに、記録媒体あるいはネットワークを介してインストールして初期設定することができる。初期設定後にも、任意の時点で記録媒体あるいはネットワークから追加ダウンロードすることもできる。また、ユーザが自らテンプレートを作成することもできる。
【００５３】
第３の実施の形態の、演奏情報が付加された情報の作成装置および再生装置は、Ｃ−Ｃ’として示した一点鎖線を境界とし、第２の実施の形態に比べ、楽曲情報ファイル部２と検索部６の方を、端末側の情報再生装置に持たせるものである。
この第３の実施の形態では、特徴情報と楽曲情報の対応付けを、ユーザが任意に設定変更することもできる。楽曲情報ファイル部２は、情報再生装置の機能を実現するプラグラムとともに、同時にインストールして初期設定することができる。また、ユーザが自ら作曲したり、ネットワークからダウンロードすることもできる。
【００５４】
第４の実施の形態の、演奏情報が付加された情報の作成装置および再生装置は、Ｄ−Ｄ’として示した一点鎖線を境界とし、楽曲情報ファイル部２，特徴抽出部６，再生態様制御情報ファイル部３，検索部７も、情報再生装置側に持たせるものである。
情報作成装置から特徴ＩＤコードと主情報を送信する。情報再生装置では、この特徴ＩＤコードを用いて、楽曲情報ファイル部２からこの特徴ＩＤコードを有する楽曲情報を検索する。また、再生態様制御情報ファイル部３からこの特徴ＩＤコードを有する再生態様制御情報を検索する。この再生態様制御情報で楽曲編集部１０およびまたはイコライザ１３を制御しながら演奏する。
【００５５】
第５の実施の形態の、演奏情報が付加された情報の作成装置および再生装置は、Ｅ−Ｅ’として示した一点鎖線を境界とし、第４の実施の形態に比べ、主情報の特徴抽出部４および参照テーブル５も、端末側の情報再生装置に持たせるものである。すなわち、伝送情報作成装置側からは、主情報以外は送信しないで、伝送情報再生装置側で、主情報の内容の特徴に応じた楽曲情報の選曲、および、曲調、音色等の再生態様の変更を行うものである。
情報再生装置側では、主情報から特徴情報を抽出し、特徴ＩＤコードを出力する。楽曲情報ファイル部２から、この特徴ＩＤコードが付された楽曲情報を検索して出力する。再生態様制御情報ファイル部３から、この特徴ＩＤコードが付された再生態様制御情報のテンプレートを検索し、この再生態様制御情報で楽曲編集部１０およびまたはイコライザ１３を制御しながら演奏する。
この第５の実施の形態の、演奏情報が付加された情報の再生装置では、主情報の特徴抽出もユーザが任意に設定することができる。また、情報の作成装置側では、単に主情報を送信するだけであるので、従来のＷＷＷサーバそのままでもよい。
参照テーブル５は、最初に記録媒体あるいはネットワークから初期インストールし、その後、改訂に応じた追加インストールが可能とする。
【００５６】
なお、サーバ側に楽曲情報ファイル２，再生態様制御情報ファイル３を置く場合でも、これらのファイルを、ネットワーク上にあって、主情報ファイル１のあるサーバとは異なるサーバに置くことにより、データベースを分散させて動作させてもよい。
また、上述した第１〜第５のいずれの実施の形態でも、ＭＩＤＩファイル形式の楽曲情報、あるいは、波形データ形式の楽曲情報の、いずれか一方あるいは両方に対応した情報作成装置および情報再生装置とすることができる。
さらには、情報作成装置および情報再生装置が、複数の動作モードを備えており、モード選択により、上述した複数の実施の形態を任意に選択できるようにすることもできる。
【００５７】
上述した第２ないし第５の実施の形態においては、情報作成装置側から送信された特徴ＩＤコードを用いて、情報再生装置側で、楽曲情報または再生態様制御情報を検索して選択していた。しかし、情報再生装置側においては、受信した特徴ＩＤコードに対応する楽曲情報または再生態様制御情報をファイル中に蓄積していない場合がありうる。このような場合、情報再生装置側は、情報作成装置側に、不足している楽曲情報または再生態様制御情報を要求する構成とする。
【００５８】
上述した第４の実施の形態に、このような構成を備えた具体例を以下に説明する
図２は、本発明の、演奏情報が付加された情報の作成装置の第６の実施の形態を説明するためのブロック構成図である。図中、図１と同様な部分には同じ符号を付して説明を省略する。２１は特徴ＩＤコード送信制御部、２２は主情報送信制御部、２３は検索部、２４は楽曲情報送信制御部、２５は検索部、２６は再生態様制御情報送信制御部、２７はネットワークインターフェースである。
図３は、本発明の、演奏情報が付加された情報の再生装置の第６の実施の形態を説明するためのブロック構成図である。
図中、図１と同様な部分には同じ符号を付して説明を省略する。３１はネットワークインターフェース、３２は特徴ＩＤコード受信制御部、３３は主情報受信制御部、３４は主情報ファイル部、３５は楽曲情報受信制御部、３６は再生態様制御情報受信制御部、３７は楽曲情報ファイル部、３８は検索部、３９は再生態様制御情報ファイル部、４０は検索部である。
【００５９】
図２において、特徴ＩＤコード送信制御部２１は、主情報ファイル部１から出力された特徴ＩＤコードを、主情報送信制御部２２は主情報ファイル部１から出力された主情報を、ネットワークインターフェース部２６を介して図３に示した端末側に出力する。
【００６０】
図３において、主情報受信制御部３３は、ネットワークインターフェース部３１を介して主情報を受信し、主情報ファイル３４に格納する。特徴ＩＤコード受信制御部３２は、特徴ＩＤコードを受信し、主情報ファイル３４に主情報とともに格納する。
主情報ファイル３４は、主情報を表示制御部８に出力するとともに、特徴ＩＤコードを、検索部３８，４０に出力する。検索部３８は、端末側にローカルに設けられた楽曲情報ファイル部３７から、受信された特徴ＩＤコードが付与された楽曲情報を検索して、楽曲編集部１０に出力する。
検索部４０は、端末側にローカルに設けられた再生態様制御情報ファイル部３９から、受信された特徴ＩＤコードが付与された再生態様制御情報を検索して、楽曲編集部１０およびイコライザ１３に出力する。
【００６１】
ここで、受信された特徴ＩＤコードを有する楽曲情報がなかった場合、検索部３８は、楽曲情報受信制御部３５を動作させて、サーバ側に楽曲情報の送信を要求する。
図２に示したサーバ側の楽曲情報送信制御部２４は、検索部２３を動作させて、特徴ＩＤコードを有する楽曲情報を検索させ、端末側に送信する。楽曲情報受信制御部３５は、受信された楽曲情報を、特徴ＩＤコードとともに楽曲情報ファイル部３６に格納するとともに、楽曲編集部１０，デコーダ部１２に出力する。その結果、一度受信された楽曲情報は、端末側の楽曲情報ファイル部３６に蓄積されることになる。
【００６２】
同様に、入力された特徴ＩＤコードを有する再生態様制御情報がなかった場合、検索部４０は、再生態様制御情報受信制御部３６を動作させて、サーバ側に再生態様制御情報の送信を要求する。
図２に示したサーバ側の再生態様制御情報送信制御部２６は、検索部２５を動作させて、特徴ＩＤコードを有する再生態様制御情報を検索させ、端末側に送信する。再生態様制御情報受信制御部３６は、受信された再生態様制御情報を、特徴ＩＤコードとともに再生態様制御情報ファイル部３９に格納するとともに、楽曲編集部１０，イコライザ部１３に出力する。
【００６３】
上述した説明では、入力された特徴ＩＤコードを有する楽曲情報または再生態様制御情報が情報再生装置側になかったときに、情報作成装置側に要求したが、ネットワークに接続された他のサーバから、これらをダウンロードしてもよい。
特徴ＩＤコードが付与されていない楽曲情報または再生態様制御情報をダウンロードする場合には、情報再生装置側で、自動的に、あるいはユーザの判断で特徴抽出をし、特徴ＩＤコードを付与して楽曲情報ファイル３７あるいは再生態様制御情報ファイル３９に格納すればよい。
【００６４】
次に、サーバおよび端末のハードウエア構成について説明する。
サーバ側については、例えば、データベースサーバをアプリケーションサーバに接続し、このアプリケーションサーバをウエブサーバに接続し、ウエブサーバをアクセスコントローラを介してインターネットに接続する。これらの複数のサーバおよびアクセスコントローラによって、図１あるいは図２に示したサーバ側の機能を実現させる。
一方、端末側については、楽音再生機能を有するパーソナルコンピュータ端末で、図１あるいは図３に示した端末側の機能を実現することができる。
【００６５】
図４は、演奏情報が付加された本発明の情報再生装置を実現する端末側のハードウエア構成を説明するブロック図である。
図中、４１は各ブロック間のデータの授受に使用されるバス、４２はＣＰＵ、４３はＲＡＭ、４４はＲＯＭ、４５はキーボードやマウスコントローラ等の入力装置、４６はＣＤ−ＲＯＭ，ハード磁気ディスク，フレキシブル磁気ディスク等の記録媒体にアクセスするための外部記憶装置、４７はＣＲＴや液晶パネル等の表示器、４８は音源、４９はアンプやスピーカ等のサウンドシステム、５０は外部ＭＩＤＩ機器との間でＭＩＤＩイベントの授受を行うためのＭＩＤＩインターフェース、５１はネットワークに接続するための、モデム等のネットワークインターフェースである。
【００６６】
ＣＰＵ４２は、パーソナルコンピュータ端末の全体制御を行う。ＲＡＭ４３は、ワークエリアやバッファ領域として、あるいは、各種アプリケーションプログラムを格納する領域として使用される。ＲＯＭ４４には、演奏処理プログラムなどの各種のプログラム、および、各種の制御情報などが格納される。
【００６７】
音源４８は、音源方式によって構成が異なる。波形メモリ音源方式では、その内部波形メモリ、あるいは、ＲＯＭ４４、外部記憶装置４６の記録媒体等に記憶された波形データを読み出して楽音信号を生成する。ＦＭ音源方式では、内部波形メモリから正弦波データを読み出し、これをＦＭ変調することにより楽音波形を生成する。
音源部４８は、楽音生成機能に加え、リバーブやコーラス、バリエーション、音場定位等の効果を付与する機能を備える場合もある。
音源部４８で生成された楽音信号はアナログ波形に変換され、サウンドシステム４９において増幅されスピーカから放音される。図１に示したイコライザはサウンドシステム内に設けるか、音源部４８の出力をＤ／Ａ変換する前に設ける。
【００６８】
ＣＰＵ４２は、ＲＯＭ４４あるいはＲＡＭ４３に記憶された各種制御プログラムにしたがい、入力装置４５やＭＩＤＩインターフェース５０、ネットワークインターフェース５１からの外部入力に応じて各種の制御を行う。
サーバの通信接続制御を行い、接続完了後は、サーバとの間でデータの送受信制御を行う。演奏時においては、ＭＩＤＩインターフェース５０、ネットワークインターフェース５１、外部記憶装置４６などから供給される演奏情報に応じて、音源部４８の発音チャンネルの楽音生成を制御する。
なお、図１に示した楽曲編集部１０の機能は、音源にＭＩＤＩイベントを供給する前段階で行われる。
例えば、ノートオンイベントが発生した場合、音源部４８の発音チャンネルの１つにその楽音の発生を割り当て、割り当てられた発音チャンネルにピッチ情報、波形選択情報、音量情報などを供給するとともに、発音開始の指示を与える。これに応じて、音源部４８では、割り当てられた発音チャンネルを用いて、波形選択情報に応じてＲＡＭ４３等から読み出された楽音波形データを使用して、楽音信号を生成する。
なお、音源部４８は、パーソナルコンピュータ端末にサウンドカードを挿入するか、ＣＰＵ４２を用いてソフトウエアで実現することもできる。
【００６９】
情報再生装置となる端末は、パーソナルコンピュータ端末に限らず、インターネット上のサービスを受けることが可能なものであれば、携帯電話、ページャ（ポケットベル）、パケット通信端末、表示機能付け有線電話機などの通信機器、テレビ電話、テレビジョン、文字表示付ラジオ等の民生用機器などでもよい。これらに音源部を持たせれば、サーバ側から端末への伝送量が少なくてすむ。
また、表示器を備える、鍵盤電子楽器、音源装置、シーケンサー、自動リズム装置、自動伴奏装置等の電子楽器であってもよい。
デジタルデータで送受信されるので、回線交換ネットワークに限らず、パケット交換などのデータ伝送専用のネットワークを利用するものでもよい。基地局２０４を介した公衆通信網において、通話およびオーディオ圧縮データは回線交換モードで接続し、主情報やＭＩＤＩファイル等のデジタルデータはパケット交換モードで接続することもできる。
【００７０】
移動端末２０５の外部接続インターフェース２０５ｃにデータ通信カードのケーブルを接続すれば、カードインターフェースを有するパーソナルコンピュータ端末やＰＤＡ端末に接続することができる。これらの外部接続機器が、音源を備えていてもいなくてもサーバ側が分担する機能を変えることによって、対応が可能である。表示器とカードインターフェースを備える、鍵盤電子楽器、音源装置、シーケンサー、自動リズム装置、自動伴奏装置等の電子楽器に接続することもできる。
【００７１】
次に、情報作成装置および情報再生装置の動作の一例を、フローチャートを用いて説明する。
図５は、図２に示した演奏情報が付加された情報の作成装置、図３に示した演奏情報が付加された情報の再生装置の動作を説明するためのフローチャートである。ニュースサービスの場合を例示する。
情報作成装置となるサーバ側のＳ６１において、主情報の入力があるか否かを判定する。主情報の入力があればＳ６２に処理を進め、主情報の入力がなければＳ６４に処理を進める。Ｓ６２において、図２の特徴抽出部４は、主情報を解析して特徴を抽出し、その特徴に対応する特徴ＩＤコードを主情報に付与する。Ｓ６３において、主情報および特徴ＩＤコードを主情報ファイル１に格納し、Ｓ６４に処理を進める。
【００７２】
Ｓ６４において、端末からネットワークインターフェース２７を経由して主情報の送信要求があるか否かを判定し、送信要求が有ればＳ６５に処理を進め、ない場合には処理を終了する。Ｓ６５において、主情報および特徴ＩＤコードを端末に送信し、Ｓ６６に処理を進める。Ｓ６６においては、端末から、特徴ＩＤコードを有する楽曲情報およびまたは再生態様制御情報の送信要求があるか否かを判定し、ない場合には処理を終了するが、ある場合には、Ｓ６７において、検索部２３およびまたは検索部２５を動作させ、該当する楽音情報およびまたは楽音制御情報を検索し、出力を端末に送信し、処理を終了する。
【００７３】
情報再生装置となる端末側において、ユーザから主情報の受信要求があったときには、Ｓ７１において、図３のネットワークインターフェース３１を経由して、サーバに主情報の送信を要求する。Ｓ７２において、主情報および特徴ＩＤコードを受信し、主情報ファイル３４に格納する。Ｓ７３において、検索部３８は、受信した特徴ＩＤコードを用いて楽曲情報ファイル３７を検索し、受信した特徴ＩＤコードが付与された楽曲情報を出力する。また、検索部４０は、受信した特徴ＩＤコードを用いて再生態様制御情報ファイル３９を検索し、受信した特徴ＩＤコードが付与された再生態様制御情報を出力する。
【００７４】
Ｓ７４において、受信した特徴ＩＤコードが付与された楽曲情報および再生態様制御情報があるか否かを判定し、ある場合にはＳ７８に処理を進め、一方でもない場合にはＳ７５に処理を進める。Ｓ７５においては、受信した特徴ＩＤコードが付与された楽曲情報およびまたは再生態様制御情報の送信をサーバに要求し、Ｓ７６において受信した特徴ＩＤコードが付与された楽曲情報およびまたは再生態様制御情報を受信してＳ７７に処理を進める。
【００７５】
Ｓ７７において、受信した特徴ＩＤコードとともに、楽曲情報およびまたは再生態様制御情報を、楽曲情報ファイル３７およびまたは再生態様制御情報ファイル３９に格納し、Ｓ７８において、受信した主情報を表示器９に表示するとともに、楽曲編集部１０、イコライザ部１３において、受信した特徴ＩＤコードが付与された楽曲情報に、受信した特徴ＩＤコードが付与された再生態様制御情報を反映させて、スピーカ，受話器１５から出力させるようにして、処理を終了する。
【００７６】
上述した説明では、受信した特徴ＩＤコードに対応する楽曲情報、再生態様制御情報が端末側のファイルにないとき、サーバ側に要求をしている。
同様に、サーバ側から主情報のみを送信する第５の実施の形態の場合に、この送信された主情報に付与する特徴ＩＤコードに対応する楽曲情報や再生態様制御情報が端末側のファイルにないときは、この特徴ＩＤコードをサーバ側に要求し、サーバ側で、この特徴ＩＤコードに対応する楽曲情報や再生態様制御情報を検索して端末側に送信するようにしてもよい。
端末側では、送信された楽曲情報や再生態様制御情報を特徴ＩＤコードとともにファイルに格納する。
【００７７】
次に、メールサービスを行う場合の動作を説明する。
図６は、図１１に示したサーバ２０３がメールサービスを行うときの、送信端末（例えば、図１１に示した移動端末２０５）と、サーバ２０３の動作を説明するためのフローチャートである。
発信端末（例えば、図１１に示した移動端末２０５）から、サーバ２０３を介して着信端末（例えば、図１１に示した移動端末２０７）に送信するメッセージは、テキスト情報と画像情報であるとし、テキスト情報を主情報として、その特徴を抽出する場合を説明する。
サーバ２０３側としては、図１を参照して説明した第１の実施の形態として動作させる場合を説明する。すなわち、主情報、楽曲情報、再生態様制御情報を端末側に送信する。しかし、発信端末から送信されたテキスト情報を主情報ファイル１に格納するための構成、画像情報を格納し、画像情報を選択する構成などに関しては、図１に示されていない。
【００７８】
発信端末も、図１を参照して説明した第１の実施の形態として動作させる場合を説明する。しかし、メッセージをサーバ２０３側に送信するための構成等に関しては、図１に示されていない。
着信端末は、先に説明したニュースサービスの場合と本質的には変わらない。
発信端末側のＳ１０１において、プロバイダへのダイヤルアップ接続を介して、サーバ２０３にアクセスする。Ｓ１０２において、サーバ２０３からイラストなどの画像リストを受信する。Ｓ１０３において、送信ユーザがリストの中から１つの画像を選択する。Ｓ１０４において、送信ユーザは、キーを操作してメッセージのテキストを入力する。相手先の着信端末の電話番号あるいはメールアドレスも入力する。Ｓ１０５において、選択された画像の画像選択番号およびテキスト情報をサーバ２０３に送信する。
【００７９】
Ｓ１０６において、サーバ２０３から、▲１▼テキスト情報、▲２▼選択画像情報、▲３▼テキスト情報の特徴に応じた楽曲情報、▲４▼テキスト情報の特徴に応じた再生態様制御情報を受信する。
なお、テキスト情報は、発信端末のバッファに残してあれば、必ずしも受信する必要はない。Ｓ１０７において、テキスト情報と画像情報を表示器９に表示するとともに、テキスト情報の内容に応じた楽曲情報に、テキスト情報の内容に応じた再生態様制御情報を反映させて演奏する。
このようにして、テキスト情報作成側で、演奏情報が付加されたテキスト情報をモニタして確認することができる。
Ｓ１０８において、作成されたメールの内容を送信ユーザが了解したときには、作成完了ボタンを押すことによりＳ１０９に処理を進め、作成のやり直しをしたいときには、再作成ボタンを押すことによりＳ１０２に処理を戻す。Ｓ１０９においてサーバに作成完了を通知する。
【００８０】
作成されたメールは、例えば、ＷＷＷ（World Wide Web）ページとしてサーバ側に格納される。
Ｓ１１０においては、サーバ２０３から、作成されたメッセージが格納されているＷＷＷページのＵＲＬ（Uniform Resource Locater）の通知を受ける。Ｓ１１１においては、送信ユーザは、送信相手の着信端末に、上述したＵＲＬを知らせるために、従来形式のメールを送る。
着信端末は、メールを受信し、ＵＲＬを知る。着信端末の送信者が、そのＵＲＬにアクセスすると、Ｓ１０６と同様な情報を受信し、Ｓ１０７と同様にして、表示部でテキスト情報と画像情報の表示を見ることができるとともに、楽曲情報に再生態様制御情報を反映させた演奏を聞くことができる。
【００８１】
一方、サーバ２０３側のＳ１２１においては、発信端末からサービスの要求があったときに、画像リストを発信端末に送信し、Ｓ１２２において、画像選択番号およびテキスト情報を受信する。
Ｓ１２３において、テキスト情報の特徴を、図１の特徴抽出部４において抽出し、特徴ＩＤコードをテキスト情報に付与する。Ｓ１２４において、テキスト情報および特徴ＩＤコードを主情報ファイル１に格納する。Ｓ１２５において、検索部２３は、特徴ＩＤコードを用いて楽曲情報ファイル２から特徴ＩＤコードが付与された楽曲情報を検索して出力する。
また、検索部２５は、特徴ＩＤコードを用いて再生態様制御情報ファイル３から特徴ＩＤコードが付与された再生態様制御情報を検索して出力する。
【００８２】
Ｓ１２６においては、先にＳ１０６において示した４種類の情報を発信端末に送信する。Ｓ１２７において、メール作成完了通知を受信したときにはＳ１２８に処理を進め、ないときにはＳ１２１に処理を戻す。Ｓ１２８においては、メールのＷＷＷページを作成し、そのＵＲＬを発信端末に送信する。
なお、楽曲情報は、テキスト情報の特徴とは無関係に、複数の楽曲リストから、発信端末ユーザが自由に選択するモードも設けてよい。また、楽曲情報あるいは再生態様制御情報のいずれか一方のみを、テキスト情報の特徴に応じて選定するようにしてもよい。また、画像情報を含まないメールサービスを行ってもよい。
着信端末に送信するＷＷＷページは、メール作成完了時点に作成を完了しておく必要はない。着信端末からＵＲＬにアクセスがあったときに、主情報ファイル１からテキスト情報と特徴ＩＤコードを読み出し、この特徴ＩＤコードで楽曲情報ファイルおよび再生態様制御情報ファイルを読み出してＷＷＷページを作成することもできる。また、着信端末へのＵＲＬの通知は、サーバ側で自動的に行うようにしてもよい。
【００８３】
上述した説明では、図１を参照して説明した第１の実施の形態として動作させているが、他の実施の形態として動作させてもよい。また、Ｓ１０６，Ｓ１２６においては、▲３▼▲４▼の代わりに、特徴ＩＤコードをサーバから端末に送信するようにしてもよい。
このほか、発信端末側で、ユーザが、テキスト情報に対する特徴ＩＤコードをあらかじめ付与することができれば、テキスト情報とともに特徴ＩＤコードもユーザが入力して、サーバ側に送信してもよい。サーバ側では、この特徴ＩＤコードをそのまま用いて楽曲情報およびまたは楽曲情報の再生態様制御情報を検索することができる。
【００８４】
次に、図７ないし図１０を参照して、サーバ側から端末側に送信するファイルのフォーマットについて説明する。
図７は、送信ファイルの第１の例の説明図である。図中、１３１は送信ファイル、１３２は原稿ファイル、１３２ａはセットアップメジャーのテンプレート、１３２ｂはテキスト情報部、１３３は楽曲ファイル、１３３ａはセットアップメジャー部、１３３ｂはソングボディ部、１３４は再生態様制御情報が反映された楽曲情報である。
送信ファイル１３１は、原稿ファイル１３２および楽曲ファイル１３３からなり、サーバ側のネットワークインターフェース部において作成される。
この例は、主情報ファイルの中に、演奏の仕方を制御する再生態様制御情報が埋め込まれたものである。楽曲ファイル１３３は、原稿ファイル１３２とは別になっている。原稿ファイル１３２はニュースやメール等の原稿ファイルである。
【００８５】
楽曲ファイル１３３は、ＳＭＦあるいは、これに準ずるものであればよい。原稿ファイル１３２は、テキスト情報１３２ｂの最初に、再生態様制御情報の記述を含むセットアップメジャーのテンプレート１３２ａを有している。一方、楽曲ファイル１３３のセットアップメジャー部１３３ａにも、この楽曲が元々有している再生態様制御情報等の初期設定状態などが記述されている。ソングボディ部１３３ｂには、この楽曲のノートデータおよび、演奏途中に挿入される再生態様制御情報が記述されている。
【００８６】
上述した送信ファイル１３１を受信した端末側では、テキスト情報１３２ｂを表示情報として表示器９に表示する。楽曲ファイル１３３のセットアップメジャー部１３３ａは、楽曲編集部１０において、セットアップメジャーのテンプレート１３２ａに置き換えられる。その結果、原稿ファイル１３２に挿入された再生態様制御情報が反映された楽曲情報１３４が作成される。
なお、楽曲ファイル１３３のセットアップメジャー部１３３ａにある、楽音制御情報あるいは他の情報のすべてを置き換える必要は必ずしもない。
【００８７】
上述した送信ファイル１３１は、本装置専用の形式で記述すればよいが、ＨＴＭＬ（Hypertext Mark-up Language）あるいはこれに類似した簡易なもので記述することも可能である。
例えば、再生態様制御情報１３２ａおよび楽曲ファイル１３３を拡張子ｍｉｄのファイルとして、テキスト情報とともに送信し、テキスト情報１３２ｂには、各ｍｉｄファイルのリンク先を記述したＥＮＢＥＤタグあるいはＯＢＪＥＣＴタグを入れておく。
端末側では、ＭＩＤＩファイルを読み取り、セットアップメジャーのテンプレート１３２ａをパッチファイルとして、セットアップメジャー部１３３ａを書き換える。このようにして、再生態様制御情報が反映された楽曲情報１３４を再生して演奏する。
【００８８】
楽曲ファイル１３３は、すべてをダウンロードしてから自動的に、あるいはオフラインにしてから演奏を行うことができる。また、受信しながらのオンライン状態でストリーミング再生することも可能である。
なお、送信ファイル１３１に、図示しない画像情報ファイルを含ませたい場合には、原稿ファイル１３２の中に画像のファイル名を記述したタグを入れて、画像ファイルを別ファイルとして送信すればよい。
【００８９】
図８は、送信ファイルの第２の例の説明図である。図中、１４１は送信ファイル、１４２は楽曲ファイル、１４２ａはセットアップメジャー部、１４２ｂはソングボディ部、１４３ａ，１４３ｂは再生態様制御情報を含む複数に分割されたセットアップメジャーのテンプレート、１４４ａ，１４４ｂ，１４４ｃは複数に分割された原稿のテキスト情報、１４５は再生態様制御情報が反映された楽曲情報である。
この送信ファイル１４１の例は、楽曲ファイル１４２の中に、原稿のテキスト情報が分散して埋め込まれて、１ファイルとなったものであり、サーバのネットワークインターフェース部において作成される。
【００９０】
ＳＭＦでは、メタイベントとして、著作権に関する情報や歌詞の文字列がファイル中に挿入できるようになっている。したがって、先に、図７の１３２ａに示したのと同様のセットアップメジャーのテンプレートを１４３ａ，１４３ｂとして埋め込むことができる。また、図１７の１３２ｂで示したテキスト情報を１４４ａ〜１４４ｃとして挿入することができる。
端末側では、テキスト情報１４４ａ〜１４４ｃを集めて表示情報として表示器９に表示する。楽曲ファイル１４２のセットアップメジャー部１４２ａが、セットアップメジャーのテンプレート１４３ａ，１４３ｂに置き換えられることにより、再生態様制御情報が反映された楽曲情報１４５が作成されて演奏される。
【００９１】
上述した例では、楽曲ファイル中に、再生態様制御情報のテンプレートおよびテキスト情報を、演奏情報等と区別できるメタイベント形式で挿入した。このほか、楽曲ファイル中に透かし（Watermark）を挿入する技術を用いれば、上述したテキスト情報等を楽曲ファイル中に挿入することもできる。例えば、演奏情報中に存在する複数個のベロシティ情報の最下位ビットを用いて、テキスト情報等を挿入することができる。
図示を省略するが、逆に、原稿ファイルや、同時に送信されるＭＰＥＧ形式の画像ファイルの中に、楽曲ファイルのデータを挿入するようにしてもよい。挿入は、例えば、テキスト情報や画像ファイルに対する透かし技術を用いることでも可能である。
なお、楽曲ファイル１３３をサーバ側から端末側に送らない場合にも、同様にして原稿ファイル１３２を作成することができる。また、サーバ側から特徴ＩＤコードを送る場合に、上述した再生態様制御情報１３２ａと同様な方法で、あるいは透かし情報として、特徴ＩＤコードを送ることができる。
【００９２】
図９は、送信ファイルの第３の例の説明図である。図中、１５１は送信ファイル、１５２は原稿ファイル、１５３ａ〜１５３ｃは特徴ＩＤコードに対応する記号、１５４は楽曲ファイル、１５４ａはセットアップメジャー部、１５４ｂはソングボディ部、１５５は再生態様制御情報が反映された楽曲情報、１５６ａ〜１５６ｃは再生態様制御情報である。
この送信ファイルの特徴を明確にするため、原稿ファイルには、複数の異なる内容が含まれているが、楽曲ファイル１５４としては、１つの曲を継続して使用し、演奏途中では曲を変更しない場合について説明する。
原稿ファイル１５２の内容の異なる部分の冒頭には、特徴ＩＤコードに対応する記号１５３ａ〜１５３ｃが挿入されている。特徴ＩＤコードに対応するものととして使用される記号は、特徴情報に対応付けられた記号である。この記号は、テキスト情報の表現要素として許容されている記号である。
【００９３】
上述した送信ファイル１５１が受信される端末側では、テキスト情報１５２が表示情報として表示器９に表示される。特徴ＩＤコードに対応する記号１５３ａ〜１５３ｃは表示情報から除かれて、目障りにならないようにしているが、表示してもよい。
【００９４】
一方、再生態様制御情報が反映された楽曲情報１５５の作成は、まず、楽曲ファイル１５４のセットアップメジャー部１５４ａにある再生態様制御情報により制御される。次に、原稿ファイル１５２中にある、特徴ＩＤコードに対応する記号１５３ａ〜１５３ｃを検出し、これに基づいて、図３に示した再生態様制御情報ファイル３の中から、この特徴ＩＤコードを有する再生態様制御情報として、再生態様制御情報１５６ａ〜１５６ｃを検索して出力する。
ここで、特徴ＩＤコードに対応する記号１５３ａの記号「↑」は、テンポを、あらかじめセットアップメジャー部１５４ａ中で設定された値の１２０％に相対的に早め、音量を同じくセットアップメジャー部１５４ａ中で設定された値の１２０％に相対的に設定し、また、短調の曲であれば長調に曲アレンジさせるという意味を持つ記号である。これに対応した再生態様制御情報１５６ａが楽曲情報１５５のソングボディ部１５４ｂに挿入される。
【００９５】
また、特徴ＩＤコードに対応する記号１５３ｂの記号「↓」は、テンポを基準値の６０％に相対的に落とし、音量を基準値の７０％に相対的に落とし、長調の曲であれば短調に曲アレンジさせるという記号である。これに対応した再生態様制御情報が１５６ｂが楽曲情報１５５のソングボディ部１５４ｂに挿入される。
特徴ＩＤコードに対応する記号１５３ｃの記号「！」は、エマージェンシー（非常事態，緊急事態）音、あるいは、これに準ずる短いフレーズの効果音を挿入して再生することを指示する。これに対応した１５６ｃ（この場合、効果音の単フレーズの波形データを音源部から出力させる）が楽曲情報１５５のソングボディ部１５４ｂに挿入される。
特徴ＩＤコードに対応する記号１５３ａ〜１５３ｃのような表現要素は、特殊記号に限らず、任意の文字でもよい。このような記号は、原稿作成時に、挿入されるようにするほか、原稿の中から特徴を抽出して特徴ＩＤコードを出力した後に、特徴ＩＤコードに対応する記号１５３ａ〜１５３ｃを自動的に挿入するようにしてもよい。
なお、原稿作成時に挿入された場合は、サーバ側において、これらの記号を検出して特徴情報を抽出し、楽曲情報や再生態様制御情報を検索することができる。したがって、再生態様制御情報が反映された楽曲情報１５５をサーバ側で作成して、これを送信ファイルとすることもできる。
なお、図示の例では、楽曲ファイル自体を変えなかったが、変える場合には、例えば、特徴ＩＤコードに対応する記号１５３ａの記号「↑」は、長調の楽曲を選定し、特徴ＩＤコードに対応する記号１５３ｂの記号「↓」は、短調の楽曲を選定する。
【００９６】
表示情報１５２が、行スクロール表示、あるいは、自動ページ切り替えされて表示される場合、ニュースの頭の部分が表示されるタイミングに同期して、再生態様制御情報が楽曲を制御して演奏することができるように、再生態様制御情報１５６ａ〜１５６ｃは、原稿ファイル１５２中の、各内容の開始位置に応じた時間位置に挿入されるようにする。
【００９７】
図１０は、送信ファイルの第４の例の説明図である。図中、１６１は送信ファイル、１６２は原稿ファイル、１６３ａ〜１６３ｃは特徴ＩＤコードに対応する顔文字、１６４は楽曲ファイル、１６４ａはセットアップメジャー部、１６４ｂはソングボディ部、１６５は再生態様制御情報が反映された楽曲情報、１６６ａ〜１６６ｃは再生態様制御情報である。
この例も、原稿には複数の内容が含まれているが、楽曲ファイル１６４は途中で変更されない場合を説明する。
【００９８】
原稿ファイル１６２の各内容の頭には、特徴ＩＤコードに対応する記号１６３ａ〜１６３ｃが挿入されている。これらの記号１６３ａ〜１６３ｃは、顔文字１４２ａのような、感性を表現する、あるいは感性を想起させる表現の特殊記号あるいは、複数の記号，文字の組み合わせて作成された同様な顔文字１４２ｂ，１４２ｃである。このような顔文字は、原稿作成時に、挿入されるようにするほか、原稿の中から特徴を抽出して特徴ＩＤコードを出力した後に、自動的に、特徴ＩＤコードに対応した顔文字を自動的に挿入するようにしてもよい。
なお、上述した特徴ＩＤコードに対応する記号１６３ａ〜１６３ｃが原稿作成時に挿入された場合は、サーバ側において、これらの記号を検出して特徴情報を抽出し、楽曲情報や再生態様制御情報を検索することができる。したがって、再生態様制御情報が反映された楽曲情報１６５をサーバ側で作成して、これを送信ファイルとすることもできる。
上述した送信ファイル１６１が受信された端末側では、テキスト情報１６２を顔文字１４２ａ〜１４２ｃを含めて、そのまま表示情報として表示器９に表示する。
【００９９】
特徴ＩＤコードに対応する記号１６３ａの顔文字は、喜びを表わすものとして、図９に示した特徴ＩＤコードに対応する記号１５３ａと同様な楽曲制御を行うもので、これに対応した再生態様制御情報１６６ａが楽曲情報１６５のソングボディ部１６４ｂに挿入される。
また、特徴ＩＤコードに対応する記号１６３ｂの顔文字「(;_;)」は、半角の５つの記号で表わされる。これは、悲しみを表わすものとして、図９に示した特徴ＩＤコードに対応する記号１５３ｂと同様な楽曲制御を行うもので、これに対応した再生態様制御情報１６６ｂが楽曲情報１６５のソングボディ部１６４ｂに挿入される。
また、特徴ＩＤコードに対応する記号１６３ｃの顔文字「( '_';)」は、驚きを表わすものとして、図９に示した特徴ＩＤコードに対応する記号１５３ｃと同様な楽曲制御を行う。これに対応した再生態様制御情報１６６ｃが楽曲情報１６５のソングボディ部１６４ｂに挿入される。この例においても、表示情報１６２がスクロール表示される場合には、各内容のテキストの頭の部分が表示されるタイミングに同期して、再生態様制御情報が楽曲を制御して演奏するようにするとよい。
【０１００】
上述した説明では、主情報としてテキスト情報を例示して説明した。しかし、静止画像，動画像などの画像情報を主情報として、その内容の特徴、例えば、感性あるいは感性を想起させる特徴を抽出したり、特定の色や、上述した顔文字のようなアイコンの形状自体などを、特徴ＩＤコードに対応するものとして、その特徴ＩＤコードを有する楽曲情報およびまたは再生態様制御情報を用いて演奏を行うようにすることもできる。
なお、楽曲の制御と合わせて、テキスト情報を表示する領域の背景色や、この領域のフレーム部分の色を、楽曲情報と同様に、テキスト情報から得られる特徴ＩＤコードに対応したもので制御することもできる。
【０１０１】
上述した説明では、説明を簡単にするため、同じ特徴ＩＤコードを、情報作成装置、情報再生装置それぞれの内部における検索に用いるとともに、情報作成装置と情報再生装置との間で特徴情報を送受信するときにも用いた。しかし、ある特徴情報を意味する特徴ＩＤコードの表現形式やコード体系を、検索用と送受信用とで異ならせてもよい。
上述した説明では、特徴抽出、特徴情報を有する楽曲情報、再生態様制御情報の検索などを装置が自動的に行うものを説明したが、サーバ側の管理者や端末側のユーザが、装置側の支援によって手動で実現するようにしてもよい。
【０１０２】
上述した説明では、サーバと端末との間で、配信をする場合について種々の実施の形態を説明した。しかし、通信を伴わない情報再生装置としてもよい。図１に示したシステムに主情報を入力し、主情報を表示するとともに、この主情報の特徴に対応した演奏を再生することができる。
また、情報作成装置が出力する主情報、特徴ＩＤコード等を、記録媒体に記録してもよい。すなわち、情報作成装置は、情報送信装置だけではなく、情報記録装置ともなる。
一方、情報再生装置は、記録された主情報、特徴ＩＤコード等を、記録媒体から読み出して、主情報を表示するとともに演奏を再生することができる。すなわち、情報再生装置は、情報受信再生装置だけではなく、記録媒体を読み取る伝送情報読取再生装置ともなる。
したがって、主情報の表示と、主情報の特徴を有する演奏の再生が可能な記録再生装置に用いることができる。
【０１０３】
【発明の効果】
本発明は、上述した説明から明らかなように、演奏により主情報の表現効果を増大させるとともに、楽曲の種類や楽曲の再生態様の違いにより、短時間で情報の概要を知らせることができ、情報配信の付加価値を高めることができるという効果がある。
作成装置側から再生装置側に特徴情報を出力する場合に、この特徴情報の作成および検出が簡単であるという効果がある。
演奏情報を主情報から自動的に付加することでき、人手を煩わすことなく、配信される情報にふさわしい楽曲演奏を効率的に行うことができる。
【図面の簡単な説明】
【図１】  本発明の、演奏情報が付加された情報の作成装置および再生装置の第１ないし第５の実施の形態を説明するためのシステム構成図である。
【図２】  本発明の、演奏情報が付加された情報の作成装置の第６の実施の形態を説明するためのブロック構成図である。
【図３】  本発明の、演奏情報が付加された情報の再生装置の第６の実施の形態を説明するためのブロック構成図である。
【図４】  本発明の、演奏情報が付加された情報の再生装置を実現する端末側のハードウエア構成を説明するブロック図である。
【図５】  図２に示した情報作成装置、図３に示した情報再生装置の動作を説明するためのフローチャートである。
【図６】  サーバがメールサービスを行うときの、送信端末とサーバの動作を説明するためのフローチャートである。
【図７】  送信ファイルの第１の例の説明図である。
【図８】  送信ファイルの第２の例の説明図である。
【図９】  送信ファイルの第３の例の説明図である。
【図１０】  送信ファイルの第４の例の説明図である。
【図１１】  情報作成装置および情報再生装置を説明するための、情報配信システムの概要構成図である。
【符号の説明】
１…主情報ファイル部、２…楽曲情報ファイル部、３…再生態様制御情報ファイル部、４…特徴抽出部、５…参照テーブル、６，７…検索部、８…表示制御部、９…表示器、１０…楽曲編集部、１１…音源部、１２…デコーダ部、１３…イコライザ部、１４…アンプ部、１５…スピーカ，受話器
【図１】
0004329191.tif 000002
【図２】
0004329191.tif 000003
【図３】
0004329191.tif 000004
【図４】
0004329191.tif 000005
【図５】
0004329191.tif 000006
【図６】
0004329191.tif 000007
【図７】
0004329191.tif 000008
【図８】
0004329191.tif 000009
【図９】
0004329191.tif 000010
【図１０】
0004329191.tif 000011
【図１１】
0004329191.tif 000012